(57)【特許請求の範囲】
【請求項１】
綴じ基板と、
少なくとも一対の綴じリングハーフが突設された第１リングベースと、
前記綴じリングハーフに対向して、綴じリングを形成するように設けられた綴じリングハーフを有する第２リングベースと、
を含み、前記綴じ基板に対して第１リングベースと第２リングベースの一方を回転または摺動して、綴じリングを開閉する用紙綴じ具であって、
第１リングベースと第２リングベースの双方に、各々の前記綴じリング対の最も内側の対の間に、綴じリング配列方向に沿って、互いに隣接するように、第１および第２リングベースと一体に設けられた開閉摘みを有し、
前記第１リングベースと第２リングベースの双方に設けられた前記開閉摘みを操作し、この操作によって前記綴じリングハーフが動かされ、前記綴じリングの開閉が行われる用紙綴じ具。
【請求項２】
請求項１に記載の用紙綴じ具であって、第１および第２リングベースの双方に設けられた前記開閉摘みは、これらの隣接部分にラッチ機構を有することを特徴とする用紙綴じ具。
【発明の詳細な説明】
【０００１】
【産業上の利用分野】
本発明は、用紙綴じ具、特に綴じリングハーフを開閉して多穴用紙を綴じ込む用紙綴じ具に関する。
【０００２】
【従来の技術】
一般に、多穴用紙の綴じ込みにはリングファイルなどとして知られている綴じ具が広く用いられており、任意の用紙を着脱可能であるなどの利点からファイリングシステムの主要な要素を構成している。この種のリングファイルは、通常開閉可能なリングハーフがばね付勢されており、開状態と閉状態の両位置にラッチ可能である。
【０００３】
また、開閉操作は、リングハーフを直接指で摘んで開閉したり、また綴じられる用紙の幅より長い綴じ具の場合には両端に設けられたレバーの操作によってリングハーフの開閉を行っているものもある。
【０００４】
【発明が解決しようとする課題】
以上のように、従来の用紙綴じ具においては、ラッチのために強力なばね付勢力を必要とし、特に、リングハーフを直接指で摘んで開閉する形式のものでは、使用中に指を挟んでしまうという問題があった。また、この形式に場合には、リングハーフに直接開閉力が加わるので、リングハーフの強度を十分なものにする必要がある。また、リングハーフを直接開閉する場合も、綴じ具端のレバー操作により開閉する場合も両手を用いる必要があるので、操作が複雑であるという問題があった。
【０００５】
本発明は前述の問題点を解決するためになされたものであり、簡単な操作およびわずかな力で開閉可能であり、また操作時に、指など挟んだりすることのない用紙ファイルを提供することを目的とする。
【０００６】
【課題を解決するための手段】
前述の目的を達成するために、本発明にかかる用紙綴じ具は、綴じ基板と、少なくとも一対の綴じリングハーフが突設された第１リングベースと、前記綴じリングハーフに対向して、綴じリングを形成するように設けられた綴じリングハーフを有する第２リングベースと、を含み、前記綴じ基板に対して第１リングベースと第２リングベースの一方を回転または摺動して、綴じリングを開閉する用紙綴じ具であって、第１リングベースと第２リングベースの双方に、各々の前記綴じリング対の最も内側の対の間に、綴じリング配列方向に沿って、互いに隣接するように、第１および第２リングベースと一体に設けられた開閉摘みを有している。
【０００７】
【作用】
本発明は以上のような構成を有しており、綴じリングハーフの開閉が綴じリングハーフ対の内側に設けられた摘みにより行われるので片手で開閉可能である。また、綴じリングハーフに直接開閉力が作用しないので、リングハーフの破損を防止し、指が綴じリングハーフに挟まれることも防止する。
【０００８】
【実施例】
以下、本発明の好適な実施例を図面にしたがって説明する。
【０００９】
図１ないし図３には、本発明にかかる第１の実施例が示されている。図１は本実施例の全体斜視図であり、図２は分解斜視図、図３は綴じリングを開いた状態の斜視図である。
【００１０】
本実施例の用紙綴じ具は基板１０と、この基板１０に固定された第１リングベース１２と、基板１０と第１リングベース１２に回動自在に設けられた第２リングベース１４を含んでいる。第１リングベース１２には、その上面、長手方向に一対の綴じリングハーフ１６，１８が設けられている。一方、第２リングベース１４にも、綴じリングハーフ１６，１８に対向する位置に一対の綴じリングハーフ２０，２２が設けられている。そして、これらの綴じリングハーフ１６，２０／１８，２２が協働して、用紙を着脱可能に保持する綴じリングを形成する。
【００１１】
用紙綴じ具の長手方向の中央付近であり、かつ綴じリングハーフ１６，２０／１８，２２の分割面内に、開閉摘み２４，２６，２８が設けられている。この開閉摘みは、摘み２４が第２リングベース１４に固定され、摘み２６，２８が綴じリングハーフを綴じたときに摘み２４の両側に位置するように第１リングベース１２に設けられている。これらの開閉摘み２４，２６，２８は協働して、ラッチ機構を形成する。このラッチ機構については後述する。
【００１２】
第１リングベース１２の両端部下面には、Ｕ字または半円の断面形状を有する溝３０が設けられている。一方、基板１０の上面にもＵ字または半円の断面形状を有する溝３２が設けられている。これらの溝３０，３２内に第２リングベース１４の長手方向に設けられた軸３４を納め、この第２リングベース１４を基板１０および第１リングベース１２に回動可能に支持している。図２に示すように第２リングベース１４の軸３４は、長手方向よりやや長く、この長さに合わせて、基板１０の溝３２が設けられている。基板１０の長手方向の中央付近には軸押え３６が設けられており、この軸押え３６が軸３４の中央部分を所定の位置に保持する。そして、軸３４の第２リングベース１４から突出した部分を、第１リングベース１２の溝３０により上方より保持する。
【００１３】
基板１０には、さらに軸押え３６の対向する位置に軸逃げ孔３８が設けられている。軸３４を溝３２内に納める際には、軸押え３６を押し広げて軸３４を挿入するが、このとき軸押え３６の撓みに加え、軸３４が軸逃げ孔３８の方向に撓むことによってより容易に軸３４の挿入を行うことができる。また、基板１０には、摘み２４の下部の可撓部分の逃げとして逃げ孔４０が設けられている。
【００１４】
図４および図５は、ラッチ機構の説明図である。前述のように、本実施例においては開閉摘み２４，２６，２８にラッチ機構が設けられている。開閉摘み２４は、図２に示されるように両端に肩部４２を有する凸形状を呈している。この形状に対応して、開閉摘み２６，２８には突出部４４，４６を有しており、全体として逆Ｌ字形状を呈している。これらの肩部４２の上面４２ａと突出部４４，４６の下面４４ａ，４６ａがラッチ係合面を形成している。また、開閉摘み２４は、リングベース１４にＵ字形状の可撓部４８を介して直立して設けられている。
【００１５】
図４は、図３に示す綴じリングハーフ１６，２０／１８，２２が開いた位置にある時の摘みの位置を示している。開閉摘み２４、すなわち第２リングベース１４は、図に示す位置よりさらに右回りに、第２リングベース１４が第１リングベース１２に対してほぼ直立するまで開くことができる。図４に示す位置から、開閉摘み２４を左回りに回転させると、可撓部４８が撓み、開閉摘み２４，２８（２６）が、図１に示すような同一の平面内に存在する状態となる。このとき、ラッチ係合面４２ａ，４６ａが対面当接して係止状態となる（図５参照）。また、このとき綴じリングハーフ１６，２０／１８，２２は図１に示す閉じた状態となる。上述のラッチを行う際に、肩部上面４２ａおよび突出部下面４６ａの互いに対面する角には、面取り部４２ｂ，４６ｂが設けられている。これらの面取り部４２ｂ，４６ｂおよび可撓部４８によって、開閉摘み２４，２６，２８は容易にラッチ可能となっている。
【００１６】
次に、本実施例の作用について説明する。用紙を綴じ込む場合は、開閉摘み２４を持って、第２リングベース１４を回転させる。このとき、親指を摘み２４に、人指し指を摘み２６（右手の場合）に当ててひねるようにして、摘み２４に力を加えることができ、片手で容易に開閉操作ができる。この第２リングベース１４に固定されている綴じリングハーフ２０，２２も回転し、綴じリングが図３に示す開いた状態になる。そして、用紙の綴じリングに対応する位置に穴に綴じリングハーフ１６，１８または２０，２２を通す。そして、開閉摘み２４を先程とは逆に回転させて、綴じリングを図１に示す閉じ位置とする。綴じリングを閉じる時の開閉摘み２４の操作は、摘み２４の肩部４２の側面と、摘み２６，２８の突出部４４，４６の側面が接する状態（図４の状態）まで摘み２４を回転させ、その後斜め上方より摘み２４を押し込み、図５に示すラッチ状態とする。
【００１７】
このように、開閉操作において、開閉摘み２４，２６，２８が本装置の長手方向にほぼ中央位置にあることによって、片手で操作ができる。また、摘みとラッチ機構が接近して設けられているので、開閉力の作用点とラッチ部分の間に十分な剛性を与えることができるのでラッチが確実に行える。
【００１８】
また、綴じられた用紙を抜き出す際にも、前述のような開操作を行い、用紙を取り出すことができる。この際、開閉摘み２４，２６，２８は対向する綴じリングハーフの突設位置の中央に設けられているので、用紙が綴じリングに綴じ込まれた状態であっても容易に開閉操作を行うことができる。特に、用紙を第１リングベース１２側と第２リングベース１４側と振り分けて、中間の用紙を抜き出したり、追加挿入する際に、開閉摘み２４，２６，２８が用紙に隠れないので容易に開閉操作が可能である。さらに、開閉摘み２４，２６，２８が綴じ込まれている用紙の位置を規制するガイドとなるので、用紙が揃った状態で、抜き出し、追加の綴じ込みを行うことができる。特に、本実施例のように、第１および第２リングベース１２，１４の双方に開閉摘みを設けることによって、用紙を振り分けた時に双方の用紙の位置を規制することができる。
【００１９】
さらに、本実施例のように、回転して開閉操作が行われる場合は、すでに綴じ込まれた用紙は、開閉操作時に大きく移動しないので、用紙がずれることが防止できる。また、簡単な構造で開閉可能とすることができるので、製造時の作業が簡易であり、使用時の耐久性も良好である。
【００２０】
図６及び図７には本発明の第２の実施例が示されている。用紙綴じ具は基板１１０と、この基板１１０に固定された第１リングベース１１２と、基板１１０と第１リングベース１１２に回動自在に設けられた第２リングベース１１４を含んでいる。第１リングベース１１２には、その上面、長手方向に一対の綴じリングハーフ１１６，１１８が設けられている。一方、第２リングベース１１４にも、綴じリングハーフ１１６，１１８に対向する位置に一対の綴じリングハーフ１２０，１２２が設けられている。そして、これらの綴じリングハーフ１１６，１２０／１１８，１２２が協働して、用紙を着脱可能に保持する綴じリングを形成する。
【００２１】
用紙綴じ具の長手方向の中央付近であり、かつ綴じリングハーフ１１６，１２０／１１８，１２２の分割面内に、開閉摘み１２４が設けられている。この開閉摘みは、第２リングベース１１４に固定されている。
【００２２】
第１リングベース１１２の両端部下面には、Ｕ字または半円の断面形状を有する溝１３０が設けられている。一方、基板１１０の上面にもＵ字または半円の断面形状を有する溝１３２が設けられている。これらの溝１３０，１３２内に第２リングベース１１４の長手方向に設けられた軸１３４を納め、この第２リングベース１１４を基板１１０および第１リングベース１１２に回動可能に支持している。図６に示すように第２リングベース１１４の軸１３４は、長手方向よりやや長く、この長さに合わせて、基板１１０の溝１３２が設けられている。そして、軸１３４の第２リングベース１１４から突出した部分を、第１リングベース１１２の溝１３０により上方より保持する。
【００２３】
さらに、第２リングベースの下面には二つのラッチ爪１５０が設けられている。このラッチ爪１５０の基板１１０上に対向する位置にラッチ溝１５２が設けられている。さらに、ラッチ溝１５２に隣接して、凸形状を有する孔１５４が設けられている。このラッチ溝１５２と孔１５４に挟まれる部分が可撓部分１５６を形成し、ラッチ性を向上している。
【００２４】
本実施例の開閉操作は、前述の実施例とほぼ同様に、開閉摘み１２４にて第２リングベース１１４を回動させることにより行われる。そして、開閉操作において、開閉摘み１２４が本装置の長手方向にほぼ中央位置にあることによって、片手で操作ができる。また、開閉摘み１２４は対向する綴じリングハーフの突設位置の中央に設けられているので、用紙が綴じリングに綴じ込まれた状態であっても、用紙に摘み１２４が隠れることがなく容易に開閉操作を行うことができる。さらに、回転して開閉操作が行われるので、すでに綴じ込まれた用紙は、開閉操作時に大きく移動しないので、用紙がずれることが防止できる。また、簡単な構造で開閉可能とすることができるので、製造時の作業が簡易であり、使用時の耐久性も良好である。
【００２５】
図８および図９には本発明のさらに他の実施例が示されており、基板２１０に対して第１リングベース２１２が固定され、一方、第２リングベース２１４が基板２１０に対して摺動自在に設けられている。
【００２６】
前記基板２１０はほぼ矩形平板からなり、その周上には、第２リングベース２１４のベース舌部２７５に係合する部分を除き保持壁２７６がプラスチックの一体成形にて設けられている。本実施例において、第１リングベース２１２には、基板２１０の保持壁２７６の対向する位置に保持壁２７７がプラスチック一体成形により設けられている。そして、これらのＣ字状の保持壁２７６，２７７どうしを接着固定することにより形成される保持壁に囲まれた空隙部内を前記第２リングベース２１４のスライド板２７４が摺動移動する。また基板２１０と第１リングベース２１２が接着固定されていることにより第２リングベース２１４が基板２１０から離脱することを防止している。
【００２７】
両リングベース２１２，２１４にはそれぞれ一対の綴じリングハーフ２１６，２１８そして２２０，２２２が設けられており、両綴じリングハーフ対が組合わさって用紙を綴じ込むことができる。この様子は図１０により示され、図１０（ａ）は綴じリングハーフ２１６と２２０そして２１８と２２２が接触して用紙を綴じ込んだ状態を示し、一方、図１０（ｂ）は両綴じリングハーフ２１６と２２０そして２１８と２２２が離脱して用紙の取り出し及び挿入をできる状態を示す。
【００２８】
第２リングベース２１４の表面にはスライド摘み２２４が直立してプラスチック一体成形により設けられている。また第１リングベース２１２にもスライド摘み２２６，２２８が直立して設けられており、これら３つのスライド摘み２２４，２２６，２２８は綴じリングを閉じた状態で、一体の板状となる位置に設けられている。使用者はこのスライド摘み２２４，２２６，２２８によって基板２１０に対して第２リングベース２１４の摺動を容易に行なうことができる。
【００２９】
図９には、基板２１０のＤ−Ｄ断面、第２リングベース２１４のＥ−Ｅ断面および第１リングベース２１２のＦ−Ｆ断面が示されており、基板２１０の表面には３本のガイド溝２３１が設けられている。また、第２リングベース２１４には、前述のガイド溝２３１に対向する位置にガイド２５６が一体成形により設けられている。これらのガイド溝２３１およびガイド２５６の断面形状はほぼ矩形をしており、互いに係合し、第２リングベースを基板２１０上で安定した状態にて摺動移動することができる。
【００３０】
また、図９に示されるように、基板２１０と第１リングベース２１２の保持壁２７６，２７７の先端の一部には位置決め溝２８２および位置決めリブ２８３が設けられている。また、長辺の所定の位置にも位置決め溝およびリブが設けられている。
【００３１】
さらに、本実施例において、基板２１０の表面にはがた止め溝２７０，２７１が設けられ、これらのがた止め溝２７０、２７１と対向する第２リングベース２１４上の位置にがた止めリブ２７２，２７３が設けられている。このがた止め溝２７０，２７１は、図１１に示すようにその断面形状がほぼ矩形であり、またがた止めリブ２７２，２７３の断面形状はほぼ半円形である。これらのがた止め用の溝２７０、２７１とリブ２７２，２７３は、基板２１０と第２リングベース２１４が係合した状態で、図１１に示す状態となる。このとき溝２７０，２７１のエッジ部分２７０ａ，２７１ａにリブ２７２，２７３の周部が接触する。これは、基板２１０と第１リングベース２１４によりスライド板２７４を押圧挟持することにより達成される。特に、がた止め溝エッジ部２７０ａ，２７１ａがプラスチック材料の弾性により若干変形することにより確実にがたなく挟持することができる。このがた止めの効果と前述のガイド２５６とガイド溝２１６の効果とにより、極めて安定した状態で第２リングベースを基板２１０に対して平行に摺動することができる。
【００３２】
更に、第２リングベース２１４が基板２１０から浮き上がることを確実に防止するために、基板２１０には固定ガイド爪２７８，２７９が設けられ、一方、この固定ガイド爪２７８，２７９と対向する第２リングベース２１４上の位置にはスライドガイド爪２８０，２８１が設けられている。これらのガイド爪２７８，２７９，２８０，２８１は図９に詳細に示されるように互いに噛み合う形状を有し、これによって第２リングベース２１４が基板２１０から浮き上がることを防止される。
【００３３】
更に本実施例によれば、第２リングベース２１４が綴じリングハーフの開き位置及び閉じ位置を確実にラッチするように、基板２１０には２個のラッチ溝２６２，２６３が設けられ、一方、第２リングベース２１４にはラッチ爪２６４，２６５が設けられている。
【００３４】
前記ラッチ溝２６２，２６３はそれぞれ両端付近に円弧状の凹部を有する長溝からなり、一方、第２リングベース２１４のラッチ爪２６４，２６５は略Ｌ字状の腕部の先端に略円筒形の爪部を有する。従って、両ラッチ爪２６４，２６５はその腕部が僅かに撓んだ状態でラッチ溝２６２，２６３と係合し、爪部がその両端の凹部に嵌まった状態で節度をもって位置決めされる。従って、第２リングベース２１４は綴じリングハーフの閉じ位置及び開き位置の両者において、前記ラッチ溝とラッチ爪との節度係合により位置決めされることとなる。
【００３５】
本実施例は以上の構成からなり、以下にその作用を説明する。スライド摘み２２４によって、第２リングベース２１４を図８の左方向へ摺動すれば、図１０（ａ）で示されるように、綴じリングハーフは閉じ位置となり、この位置はラッチ爪２６４，２６５がラッチ溝２６２，２６３の図８の左端部の凹部と係合することによって保持される。
【００３６】
綴じリングハーフを開くときには、スライド摘み２２４に親指を当て、摘み２２６に人指し指を当てて（右手操作の場合）、ひねるようにして、図８の右方向へ第２リングベース２１４を基板２１０に対し摺動させ、図１０（ｂ）で示されるように綴じリングハーフを開く。従って、この状態で用紙の綴じ込み、あるいは抜き取り作用を容易に行なうことができる。そして、この開き位置は前述したようにラッチ爪２６４，２６５がラッチ溝２６２，２６３の右側の凹部と係合することによって位置決めされている。
【００３７】
本実施例によれば、開閉操作において、開閉摘み２２４，２２６，２２８が本装置の長手方向にほぼ中央位置にあることによって、片手で操作ができる。また、開閉摘み２２４と２２６（右手操作時）または２２８（左手操作時）を、親指と人指し指を用いて容易に開閉することができる。また、開閉摘み２２４は対向する綴じリングハーフの突設位置の中央に設けられているので、用紙が綴じリングに綴じ込まれた状態であっても、用紙に摘み１２４が隠れることがなく容易に開閉操作を行うことができる。また、綴じ込まれた用紙の端にスライド摘み２２４，２２６，２２８が当接するので、開閉操作時に、用紙がばらつかず揃ったままで操作することができる。
【００３８】
以上の各実施例は、１対の綴じリングにより用紙を綴じるものであったが、複数対の綴じリングを設けることも可能である。この場合、最も内側の綴じリング対の間に開閉摘みを設けることにより、前述の各実施例と同様の効果を奏する。更に前記各実施例の開閉摘みは、綴じ具の長手方向に更に延長することも好ましく、この場合は、綴じ込まれた用紙が不揃いとなることをより確実に防止することができる。
【００３９】
【発明の効果】
本発明は以上のような構成を有しており、綴じリングハーフの開閉が中央部分の摘みにより行われるので片手で開閉可能である。また、リングハーフに直接開閉力が作用しないので、リングハーフの破損を防止し、指が綴じリングハーフに挟まれることも防止することができる。
【００４０】
【付記１】
綴じ基板と、
少なくとも１対の綴じリングハーフが突設された第１リングベースと、
前記綴じリングハーフに対向して、綴じリングを形成するように設けられた綴じリングハーフを有する第２リングベースと、
を含み、前記綴じ基板に対して第１リングベースと第２リングベースの少なくとも一方を移動して、綴じリングを開閉する用紙綴じ具であって、
第１リングベースと第２リングベースの双方に、少なくとも綴じリング対の最も内側の綴じリング対の間に、綴じリング配列方向に沿って設けられた開閉摘みを有することを特徴とする用紙綴じ具。
【００４１】
【付記２】
綴じ基板と、
前記閉じ基板上に開閉可能に設けられた少なくとも２対の綴じ込みリングと、前記綴じ込みリングに用紙が綴じ込まれた際に、当該用紙の一辺に沿うように設けられた用紙ガイドと、
を有することを特徴とする用紙綴じ具。
【００４２】
【付記３】
綴じ基板と、
少なくとも１対の綴じリングハーフが突設された第１リングベースと、
前記第１リングベースに突設された綴じリングハーフに対向する位置に綴じリングハーフが突設された第２リングベースと、
を含み、前記綴じ基板に対して第１リングベースと第２リングベースの少なくとも一方を移動して、綴じリングを開閉する用紙綴じ具であって、
前記第１リングベースと第２リングベースを閉じ位置にロックするロック機構を前記綴じリングハーフの中央付近に設けたことを特徴とする用紙綴じ具。
【００４３】
【付記４】
付記１記載の用紙綴じ具であって、第１および第２リングベースの双方に設けられた開閉摘みは互いに隣接し、この隣接部分にラッチ機構を有することを特徴とする用紙綴じ具。
【００４４】
【付記５】
綴じ基板と、
少なくとも一対の綴じリングハーフが突設された第１リングベースと、
前記綴じリングハーフに対向して綴じリングを形成するように設けられた綴じリングハーフを有する第２リングベースと、
を含み、前記綴じ基板に対し、前記第１および第２リングベースの少なくとも一方が、前記綴じリングハーフ配列方向に平行に設けられた回動軸を中心に回動し、この回動動作によって前記綴じリングが開閉する用紙綴じ具であって、
前記第１および第２リングベースの少なくとも一方に少なくとも前記綴じリング対の最も内側の対の間に、綴じリング配列方向に沿って、直立して設けられた開閉摘みを有することを特徴とする用紙綴じ具。
【図面の簡単な説明】
【図１】本発明にかかる用紙綴じ具の実施例の全体斜視図である。
【図２】図１に示す実施例の分解斜視図である。
【図３】図１に示す実施例の斜視図であり、特に綴じリングを開いた状態を示す図である。
【図４】図１に示す実施例のラッチ機構を説明する図であり、特に綴じリングが開状態の時を示す図である。
【図５】図１に示す実施例のラッチ機構を説明する図であり、特に綴じリングが閉状態の時を示す図である。
【図６】本発明にかかる他の実施例の分解斜視図である。
【図７】図６に示す実施例のラッチ機構の詳細図である。
【図８】本発明にかかるさらに他の実施例の分解斜視図である。
【図９】図８に示す実施例の基板のＤ−Ｄ断面図、第１リングベースのＦ−Ｆ断面及び第２リングベースのＥ−Ｅ断面図である。
【図１０】図８に示す実施例の綴じリングの閉じ状態（ａ）及び開き状態（ｂ）を示す要部断面図である。
【図１１】図８に示す実施例のがた止め溝およびがた止めリブの断面形状を示す図である。
【符号の説明】
１０、１１０、２１０  基板
１２、１１２、２１２  第１リングベース
１４、１１４、２１４  第２リングベース
１６，１８，２０，２２、１１６，１１８，１２０，１２２、２１６，２１８，２２０，２２２  綴じリングハーフ
２４，２６，２８、１２４，１２６，１２８、２２４，２２６，２２８  開閉摘み
３４、１３４  軸
４２  肩部（ラッチ機構）
４４、４６  突出部（ラッチ機構）
１５０  ラッチ爪
１５２  ラッチ溝
【図１】
0003828589.tif 000002
【図２】
0003828589.tif 000003
【図３】
0003828589.tif 000004
【図４】
0003828589.tif 000005
【図５】
0003828589.tif 000006
【図６】
0003828589.tif 000007
【図７】
0003828589.tif 000008
【図８】
0003828589.tif 000009
【図９】
0003828589.tif 000010
【図１０】
0003828589.tif 000011
【図１１】
0003828589.tif 000012